(57)【要約】【課題】ランバーサポートの上下方向の位置を調節する操作を容易にし、かつ着座者の後傾の程度に応じて、ほどよいランバーサポート機能が作用するようにする。【解決手段】シート状部材１１の外周部を固定した背枠１０において、シート状部材１１の後面側の背枠１０の中央に、上下方向を向く案内部１５を設けるとともに、この案内部１５に沿って摺動可能なランバーサポート１２を設け、かつこのランバーサポート１２に、上下摺動操作を行うための操作用把手２４を設ける。【選択図】　　　　図１
2004049657.tif 000002
【特許請求の範囲】
【請求項１】
シート状部材の外周部を固定した背枠において、シート状部材の後面側の背枠の中央に、上下方向を向く案内部を設けるとともに、この案内部に沿って摺動可能なランバーサポートを設け、かつこのランバーサポートに、上下摺動操作を行うための操作用把手を設けたことを特徴とする椅子の背凭れ装置。
【請求項２】
前記操作用把手の左右両端を、背枠の内方に位置させたことを特徴とする請求項１記載の椅子の背凭れ装置。
【請求項３】
前記ランバーサポートの上下方向の位置を、調節できるようにしたことを特徴とする請求項１または２に記載の椅子の背凭れ装置。
【請求項４】
前記シート状部材をネット部材としたことを特徴とする請求項１〜３のいずれかに記載の椅子の背凭れ装置。
【請求項５】
前記背枠の下部から上方に向けて、上端が自由端をなすランバーサポート支持部を設け、このランバーサポート支持部に、前記上下方向を向く案内部を設けたことを特徴とする請求項１〜４のいずれかに記載の椅子の背凭れ装置。
【請求項６】
前記ランバーサポート支持部の前面側に、上下方向を向く案内部を設け、この案内部に設けた係合部とランバーサポートの後面側に設けた被係合部とを弾性係合させることにより、ランバーサポートの上下方向の位置を調節できるようにしたことを特徴とする請求項５に記載の椅子の背凭れ装置。
【発明の詳細な説明】
【０００１】
【発明の属する技術分野】
本発明は、新規な機構のランバーサポートを取り付けた椅子の背凭れ装置に関する。
【０００２】
【従来の技術】
ランバーサポートを、背凭れ装置における背枠に取り付ける場合、従来、通常、ランバーサポートの左右端を、背枠の左右枠に取り付けていた。しかし、この取り付け形態では、ランバーサポートの上下方向の位置を調節する場合、ランバーサポートの左右に加える力を均一にして、上下方向に移動させなければならず、前記移動を円滑に行い難い場合があった。
また、望まれる最適のランバーサポート機能が、着座者の着座姿勢や個人差によって種々異なることに対して、充分に対応し得るランバーサポート機能を、必ずしも発揮しうるには至っていない。
【０００３】
たとえば、後傾する姿勢の着座では、その後傾角度によって、ランバーサポート機能も、異なる前上向き角度と力の大きさで作用することが望ましいが、従来のランバーサポートでは、この点、必ずしも充分に対応するに至っていない。
【０００４】
【発明が解決しようとする課題】
本発明は、前記現状に鑑みて、ランバーサポートの上下方向の位置を調節する場合の操作を容易に行い得るようにするとともに、着座者の後傾が小さいときは、背凭れのシート状部材によって、背腰部を穏やかに支え、後傾がある程度、大きくなり、ランバーサポート機能が必要となった場合に、ほどよくその機能が作用するようにした、椅子の背凭れ装置を提供することを目的とする。
さらに、好ましい実施形態としては、着座者のランバーサポートに当接する背腰部の後傾角度に応じて、望ましい異なる前上向き角度と力の大きさで、ランバーサポート機能を発揮し得るようにした椅子の背凭れ装置を提供することを併せ目的とする。
【０００５】
【課題を解決するための手段】
本発明によると、上記課題は次のようにして解決される。
（１）　シート状部材の外周部を固定した背枠において、シート状部材の後面側の背枠の中央に、上下方向を向く案内部を設けるとともに、この案内部に沿って摺動可能なランバーサポートを設け、かつこのランバーサポートに、上下摺動操作を行うための操作用把手を設ける。
【０００６】
（２）　上記（１）項において、前記操作用把手の左右両端を、背枠の内方に位置させたものとする。
【０００７】
（３）　上記（１）項または（２）項において、前記ランバーサポートの上下方向の位置を、調節できるようにする。
【０００８】
（４）　上記（１）項〜（３）項のいずれかにおいて、前記シート状部材をネット部材とする。
【０００９】
（５）　上記（１）項〜（４）項のいずれかにおいて、前記背枠の下部から上方に向けて、上端が自由端をなすランバーサポート支持部を設け、このランバーサポート支持部に、前記上下方向を向く案内部を設ける。
【００１０】
（６）　上記（５）項において、前記ランバーサポート支持部の前面側に、上下方向を向く案内部を設け、この案内部に設けた係合部とランバーサポートの後面側に設けた被係合部とを弾性係合させることにより、ランバーサポートの上下方向の位置を調節できるようにする。
【００１１】
【発明の実施の形態】
図１、図２は、それぞれ本発明の一実施形態の背凭れ装置を備える椅子の正面図、および側面図である。
図１および図２に示すように、この椅子（１）は、脚体（２）の中央に立設された脚柱（３）の上端に固着した支基（４）の左右両側壁（４ａ）（４ａ）に、背凭れ（５）を支持する左右１対の背凭れ支持杆（６）（６）を取り付けるとともに、座支持杆（７ａ）（７ｂ）を介して支基（４）の上方に、座（８）を取り付けることにより形成されている。
【００１２】
左右の背凭れ支持杆（６）（６）は、側面視ほぼ前向Ｌ字状をなし、前端部に設けた左右方向を向く筒部（６ａ）（６ａ）が、支基（４）の両側壁（４ａ）（４ａ）より左右に突出する支軸（９）に固嵌されており、背凭れ（５）および背凭れ支持杆（６）（６）は、支軸（９）と一体となって、後下方に傾動し得るようになっている。
なお、支基（４）の内部には、公知のように、前記後傾させた背凭れ（５）および背凭れ支持杆（６）を復帰させるための付勢手段が設けられている。
【００１３】
背凭れ（５）は、背枠（１０）と、この背枠（１０）に張設されたシート状部材（１１）とよりなり、背枠（１０）には、シート状部材（１１）を後面側から支えるようにしてランバーサポート（１２）が設けられている。
【００１４】
図３は、ランバーサポート（１２）が設けられた背枠（１０）を、若干下方から見た正面図、図４は、図３における要部の分解図、図８は、図１におけるＶＩＩＩ〜ＶＩＩＩ線拡大縦断面図である。
【００１５】
背枠（１０）は、上下枠（１０ａ）（１０ｂ）が後向きに湾曲し、正面視において、おおむね倒立五角形状をなし、かつ側面視において、下部よりほぼ４分の１の部分が突出する前向く字形で、かつ上部ほぼ６分の１が、後上向きに後傾した形状をなしている。
【００１６】
背枠（１０）の内側下部中央には、ランバーサポート支持部（１３）が上方に向けて一体的に突設され、上端が自由端をなすこのランバーサポート支持部（１３）の前面に、ランバーサポート（１２）が取り付けられている。
【００１７】
ランバーサポート支持部（１３）は、下方が幅広で、上方に向かうほど幅狭となるほぼ三角形の形状をなし、その前面中央に、ランバーサポート（１２）と一体をなす案内部（１５）を支持するための左右１対の上下方向を向く支持突条（１６）（１６）が設けられ、この左右の支持突条（１６）（１６）間の上下端部に、ねじ孔（１７）（１７）が穿設されている。
【００１８】
案内部（１５）は、縦長の方形板状であり、上下方向の中間のやや上部寄りに、左右１対の上下方向の可撓性付与のためのスリット（１８）（１８）が穿設され、これらスリット（１８）（１８）間の可撓性部の中央に、係合突起（１９）が設けられている。
【００１９】
前記案内部（１５）は、ランバーサポート支持部（１３）における前記左右の支持突条（１６）（１６）間の幅よりも、幅広であり、案内部（１５）を左右の支持突条（１６）（１６）に支持させ、図８に示すように、２本のねじ（２０）（２０）を、案内部（１５）の上下に設けた通孔（２１）（２１）に挿通して、ランバーサポート支持部（１３）におけるねじ孔（１７）（１７）に締め付けて、ランバーサポート支持部（１３）にねじ止めされている。
ランバーサポート（１２）は、ランバーサポート本体（２２）とクッション部材（２３）とよりなる。
【００２０】
図５は、ランバーサポート本体（２２）の背面図である。
ランバーサポート本体（２２）は、横長のほぼ逆三角形の左右両側に、操作用把手（２４）（２４）を延設し、後面下部に、上下方向の摺動枠（２５）を、その下端が下方に突出するように一体的に取り付けて形成されている。
左右の操作用把手（２４）（２４）の外側端は、背枠（１０）の内方に位置している。
【００２１】
図６、図７は、それぞれ図５におけるＶＩ〜ＶＩ線拡大横断面図、ＶＩＩ〜ＶＩＩ線拡大横断面図である。
図５〜図８に示すように、摺動枠（２５）は、後面に左右方向を向く被係合溝（２６）が上下方向に複数設けられた縦長の板体（２７）の同じく後面の左右縁端の上下に、それぞれ、先端に内向きの係止爪（２８ａ）を有する係止片（２８）（２８）を設けて形成されている。
【００２２】
クッション部材（２３）は、図８に示すように、横長のほぼ逆三角形のクッション材（３０）を、ほぼ同形の台板（３１）の前面に取り付けて形成されている。
【００２３】
図９は、図８における破線円（Ａ）内のランバーサポート本体（２２）における部分拡大図である。
図９に示すように、台板（３１）には通孔（３２）が穿設され、クッション材（３０）の後面における、前記通孔（３２）に対応する位置には、通孔（３２）よりも拡径された凹孔（３３）が設けられ、これら通孔（３２）と凹孔（３３）の両者で、台板（３１）の前面における前記通孔（３２）の周辺を段部（３４）とする取付孔（３５）が形成されている。
【００２４】
一方、ランバーサポート本体（２２）における前記取付孔（３５）と対応する位置には、抜け止め部材（３６）をねじ（３７）をもって止着してある。抜け止め部材（３６）の外周面には、外側に向けて弾性付勢された係止爪（３６ａ）が設けられている。この抜け止め部材（３６）を、クッション部材（２３）の後面に設けられた前記取付孔（３５）内に挿入し、抜け止め部材（３６）の前記係止爪（３６ａ）を取付孔（３５）における前記段部（３４）に係止させることによって、クッション部材（２３）をランバーサポート本体（２２）に一体的に取り付けてある。
【００２５】
これらクッション部材（２３）とランバーサポート本体（２２）とからなるランバーサポート（１２）は、摺動枠（２５）における左右の係止片（２８）（２８）の係止爪（２８ａ）（２８ａ）を、ランバーサポート支持部（１３）における案内部（１５）の後面の左右縁端（１５ａ）（１５ａ）に係止させることによって、摺動枠（２５）を案内部（１５）に上下方向に摺動可能に嵌合させてある。
【００２６】
図８に示すように、案内部（１５）は、前向きにやや湾曲するようにして、ランバーサポート支持部（１３）に取り付けられているため、案内部（１５）における左右のスリット（１８）（１８）間に設けられた係合突起（１９）（図４参照）は、前向きに弾性付勢されている。そのため、ランバーサポート（１２）を上下適所に移動させることにより、前記係合突起（１９）は、摺動枠（２５）に上下方向に複数設けられたいずれかの被係合溝（２６）と弾性係合して、ランバーサポート（１２）の上下方向の位置が、その位置で安定的に保持される。
【００２７】
一方、前記弾性付勢力に抗して、ランバーサポート（１２）を上下移動させようとすると、左右のスリット（１８）（１８）間に設けられた係合突起（１９）は、左右のスリット（１８）（１８）間の板部分の後方への湾曲にともなって後退し、前記被係合溝（２６）との係合が解かれ、ランバーサポート（１２）の上下移動が自在となる。
【００２８】
次いで、ランバーサポート（１２）を上下移動させ、所望とする新たな上下位置を定め、その位置に最も近い他の被係合溝（２６）に、前記係合突起（１９）を弾性係合させることにより、ランバーサポート（１２）は、再び、その位置で安定的に保持される。
背枠（１０）には、シート状部材（１１）、たとえばネット部材（３８）が張設されている。
【００２９】
図１０、図１２、図１３は、それぞれ図１におけるＸ〜Ｘ線横断面図、ＸＩＩ〜ＸＩＩ線縦断面図、ＸＩＩＩ〜ＸＩＩＩ線縦断面図である。
背枠（１０）を形成する枠材（３９）は、その断面が外方から内方に向かって前方に傾斜し、その内外縁に、それぞれ前方を向く内側縁突条（４０）、外側縁突条（４１）を設けた厚肉剛質の部材から形成されている。
【００３０】
図３に示すように、背枠（１０）の前面には、背枠（１０）の全周に亘って、適所にねじ孔（４２）を有する前向きの係止突起（４３）が設けられている。
ネット部材（３８）は、固定枠（４４）を用いて、背枠（１０）に張設されている。
【００３１】
図１１は、図１０における背枠（１０）と固定枠（４４）とを分離して示す分解図である。
固定枠（４４）は、背枠（１０）の前面に全周に亘って嵌め込まれる枠状物であり、その断面は、背枠（１０）の枠材（３９）における内側縁突条（４０）と外側縁突条（４１）間に嵌め込まれ得る幅を有した枠材（４５）よりなり、この枠材（４５）の後面の外側縁近傍に、全周に亘って後向き保持溝（４６）が設けられ、この後向き保持溝（４６）によって外側縁起立片（４７）が形成されている。さらに、この枠材（４５）の後面における前記保持溝（４６）よりも内方には、背枠（１０）における係止突起（４３）と対応する位置に、内部が拡径されて段部（４８）を有する係止孔（４９）が設けられている。
【００３２】
ネット部材（３８）を背枠（１０）に張設するには、次の手順による。
背枠（１０）の前記係止突起（４３）の前端に、抜け止め部材（５０）をねじ（５１）をもって止着する。
抜け止め部材（５０）の外周面には、外側に向けて弾性付勢された係止爪（５０ａ）が設けられている。
【００３３】
次に、ネット部材（３８）の周辺部を、固定枠（４４）の前面および外面に当接させた後、その外端を内方へ折曲げて、ネット部材（３８）の外周縁に固着されている挾入片（５２）を、前記保持溝（４６）内に嵌入する。
【００３４】
次いで、固定枠（４４）の後面を、背枠（１０）の前面に対向させて、背枠（１０）における、前端に抜け止め部材（５０）が止着された係止突起（４３）を、固定枠（４４）における係止孔（４９）内に嵌入して、抜け止め部材（５０）の係止爪（５０ａ）を係止孔（４９）の段部（４８）に係止させるとともに、固定枠（４４）の後面を、背枠（１０）の前面に密着させて、背枠（１０）と固定枠（４４）とを一体化させる。
【００３５】
これによって、ネット部材（３８）の外周縁に固着されている挾入片（５２）が、保持溝（４６）内に嵌入された状態で固定されるため、ネット部材（３８）が、背枠（１０）の前面に、安定的に張設される。
【００３６】
図２に示すように、背凭れ（５）の上部は、その上部後面より後向きに突設させた支杆（５３）の先端を、背凭れ支持杆（６）の上部に設けた左右方向の取付軸（５４）をもって枢支させることによって、背凭れ支持杆（６）に取り付けられている。
【００３７】
背凭れ（５）の下部は、その下部後面より後向きに突設させた支杆（５５）と、背凭れ支持杆（６）の下部前面より前向きに突設させた支杆（５６）との両支杆（５５）（５６）の先端同士を連結するとともに、操作レバー（５７）をもって背凭れ（５）の下部の前後位置を変化させることにより、背凭れ（５）の後傾角度を微調節し得るようにして、背凭れ支持杆（６）に取り付けられている。
【００３８】
【発明の効果】
本発明によると、次のような効果を奏することができる。
（１）　請求項１記載の発明によれば、背枠の中央に上下方向を向く案内部を設け、この案内部に沿って摺動可能にランバーサポートを設けてあるため、ランバーサポートの左右に加える力を均一にしなくても、容易かつ円滑にランバーサポートを上下方向に摺動させて、その位置を調節することができる。
また、シート状部材の後面側の背枠の中央にランバーサポートが設けられているため、着座者の後傾が小さいときは、背凭れのシート状部材によって、背腰部を穏やかに支え、後傾がある程度大きくなり、ランバーサポート機能が必要となった場合に、ほどよくその機能が発揮される。
【００３９】
（２）　請求項２記載の発明によれば、操作用把手の左右両端が、背枠の内方に位置しているため、見栄えがよいとともに、前記両端が背枠から突出していることに起因する負傷や、他の家具等の損傷などの事故を防止することができる。
【００４０】
（３）　請求項３記載の発明によれば、着座者が所望とする上下方向の位置において、ランバーサポート機能を発揮させることができる。
【００４１】
（４）　請求項４記載の発明によれば、ネット部材が弾性的に変形し易い特性を活用して、ネット部材の後面側の背枠の中央に設けられたランバーサポートと相俟って、穏やかでほどよいランバーサポート機能を発揮させることができる。
【００４２】
（５）　請求項５記載の発明によれば、ランバーサポート支持部の上端が自由端をなすため、着座者の背腰部の後傾角度に応じて、ランバーサポート支持部の上端が後傾し、かつ後傾状態からの復元力も増大する。そのため、着座者の後傾角度に応じて、異なる望ましい前上向き角度と力の大きさで、ランバーサポート機能が発揮される。
【００４３】
（６）　請求項６記載の発明によれば、請求項５記載の発明の効果に加えて、ランバーサポートの上下位置の調節を簡単に行うことができるとともに、調節後の上下位置において、ランバーサポートを安定的に保持することができる。
【図面の簡単な説明】
【図１】本発明の一実施形態の背凭れ装置を備える椅子の正面図である。
【図２】同じく、側面図である。
【図３】ランバーサポートが設けられた背枠を、若干下方から見た正面斜視図である。
【図４】図３における要部を分解して示す要部分解図である。
【図５】ランバーサポート本体の背面図である。
【図６】図５におけるＶＩ〜ＶＩ線拡大横断面図である。
【図７】図５におけるＶＩＩ〜ＶＩＩ線拡大横断面図である。
【図８】図１におけるＶＩＩＩ〜ＶＩＩＩ線拡大縦断面図である。
【図９】図８における破線円Ａ内の部分拡大図である。
【図１０】図１におけるＸ〜Ｘ線拡大横断面図である。
【図１１】図１０における背枠と固定枠とを分離して示す分解図である。
【図１２】図１におけるＸＩＩ〜ＸＩＩ線拡大縦断面図である。
【図１３】図１におけるＸＩＩＩ〜ＸＩＩＩ線拡大縦断面図である。
【符号の説明】
（１）椅子
（２）脚体
（３）脚柱
（４）支基
（４ａ）側壁
（５）背凭れ
（６）背凭れ支持杆
（６ａ）筒部
（７ａ）（７ｂ）座支持枠
（８）座
（９）支軸
（１０）背枠
（１０ａ）上枠
（１０ｂ）下枠
（１１）シート状部材
（１２）ランバーサポート
（１３）ランバーサポート支持部
（１５）案内部
（１５ａ）縁端
（１６）支持突条
（１７）ねじ孔
（１８）スリット
（１９）係合突起
（２０）ねじ
（２１）通孔
（２２）ランバーサポート本体
（２３）クッション部材
（２４）操作用把手
（２５）摺動枠
（２６）被係合溝
（２７）板体
（２８）係止片
（２８ａ）係止爪
（２９）抜け止め部材
（３０）クッション材
（３１）台板
（３２）通孔
（３３）凹孔
（３４）段部
（３５）取付孔
（３６）抜け止め部材
（３６ａ）係止爪
（３７）ねじ
（３８）ネット部材
（３９）枠材
（４０）内側縁突条
（４１）外側縁突条
（４２）ねじ孔
（４３）係止突起
（４４）固定枠
（４５）枠材
（４６）後向き保持溝
（４７）外側縁起立片
（４８）段部
（４９）係止孔
（５０）抜け止め部材
（５０ａ）係止爪
（５１）ねじ
（５２）挾入片
（５３）支杆
（５４）取付軸
（５５）（５６）支杆
（５７）操作レバー
【図１】
2004049657.tif 000003
【図２】
2004049657.tif 000004
【図３】
2004049657.tif 000005
【図４】
2004049657.tif 000006
【図５】
2004049657.tif 000007
【図６】
2004049657.tif 000008
【図７】
2004049657.tif 000009
【図８】
2004049657.tif 000010
【図９】
2004049657.tif 000011
【図１０】
2004049657.tif 000012
【図１１】
2004049657.tif 000013
【図１２】
2004049657.tif 000014
【図１３】
2004049657.tif 000015